(57)【要約】【課題】エネルギーの無駄を防止し、照明時間への様々な要求を満たす照明回路の制御方法及び制御器を提供する。【解決手段】通常モード切替信号を検出した場合、現在の動作モードから通常モードに切り替えることと、通常モードで、環境音量を検出して環境音量に応じて照明回路のオン／オフを制御することと、タイミングモード切替信号を検出した場合、現在の動作モードからタイミングモードに切り替えることと、タイミングモードで、照明回路を第１のプリセット時間内にオンに保持し、第１のプリセット時間経過後にタイミングモードから通常モードに切り替えるように制御することと、除外モード切替信号を検出した場合、ユーザが操作権限を有するか否かを判断することと、ユーザが操作権限を有すると判定した場合、現在の動作モードから除外モードに切り替えることと、除外モードで、照明回路をオンに保持するように制御することと、を含む照明回路の制御方法。【選択図】図１
2019530126.tif 000002
【特許請求の範囲】
【請求項１】
照明回路の制御方法であって、
制御器により実行し、
ユーザの通常モード切替信号を検出した場合、現在の動作モードから通常モードに切り替えることと、
前記通常モードにおいて、環境音量を検出してかつ前記環境音量に応じて照明回路のオン／オフを制御することと、
ユーザのタイミングモード切替信号を検出した場合、現在の動作モードからタイミングモードに切り替えることと、
前記タイミングモードにおいて、前記照明回路を第１のプリセット時間内にオンに保持し、かつ前記第１のプリセット時間経過後にタイミングモードから前記通常モードに切り替えるように制御することと、
ユーザの除外モード切替信号を検出した場合、ユーザが操作権限を有するか否かを判断することと、
ユーザが操作権限を有すると判定した場合、現在の動作モードから除外モードに切り替えることと、
前記除外モードにおいて、前記照明回路をオンに保持するように制御することと、を含むことを特徴とする、照明回路の制御方法。
【請求項２】
前記通常モードにおいて、環境音量を検出してかつ前記環境音量に応じて照明回路のオン／オフを制御することは、
前記通常モードにおいて、現在の環境音量を定期的に検出することと、
前記現在の環境音量が予め設定された音量閾値よりも低い値から前記音量閾値よりも高い値まで上昇することを検出した場合、前記照明回路をオンに保持するように制御することと、
前記現在の環境音量が前記音量閾値よりも高い値から前記音量閾値よりも低い値まで低下することを検出した場合、第２のプリセット時間経過後に前記照明回路をオフに保持するように制御することとを含むことを特徴とする、請求項１に記載の照明回路の制御方法。
【請求項３】
前記タイミングモードに切り替えた後、ユーザが予め設定された第３のプリセット時間内に予め設定された範囲にある時間パラメータを入力したか否かを判断することと、
ユーザが前記第３のプリセット時間内に予め設定された範囲にある時間パラメータを入力した場合、前記時間パラメータを前記第１のプリセット時間とすることと、
ユーザが前記第３のプリセット時間内に予め設定された範囲にある時間パラメータを入力しない場合、予め設定されたデフォルト時間パラメータを前記第１のプリセット時間とすることとを含むことを特徴とする、請求項１又は２に記載の照明回路の制御方法。
【請求項４】
前記制御方法の一実施形態において、ユーザの除外モード切替信号を検出した場合、ユーザが操作権限を有するか否かを判断することは、
ユーザの除外モード切替信号を検出した場合、ユーザが予め設定された第４のプリセット時間内に正しいパスワードを入力したか否かを判断することと、
ユーザが前記第４のプリセット時間内に正しいパスワードを入力した場合、ユーザが操作権限を有すると判定することと、
ユーザが前記第４のプリセット時間内に正しいパスワードを入力しない場合、ユーザが操作権限を有しないと判定することとを含むことを特徴とする、請求項１又は２に記載の照明回路の制御方法。
【請求項５】
前記制御器の電源をオンした後、通常モードに直接移行して動作することをさらに含むことを特徴とする、請求項１又は２に記載の照明回路の制御方法。
【請求項６】
照明回路の制御器であって、
ユーザの通常モード切替信号を検出した場合、現在の動作モードから通常モードに切り替えるように構成される通常モード切替モジュールと、
前記通常モードにおいて、環境音量を検出してかつ前記環境音量に応じて照明回路のオン／オフを制御するように構成される通常モード制御モジュールと、
ユーザのタイミングモード切替信号を検出した場合、現在の動作モードからタイミングモードに切り替えるように構成されるタイミングモード切替モジュールと、
前記タイミングモードにおいて、前記照明回路を第１のプリセット時間内にオンに保持し、かつ前記第１のプリセット時間経過後にタイミングモードから前記通常モードに切り替えるように構成されるタイミングモード制御モジュールと、
ユーザの除外モード切替信号を検出した場合、ユーザが操作権限を有するか否かを判断するように構成される除外モード判断モジュールと、
ユーザが操作権限を有すると判定した場合、現在の動作モードから除外モードに切り替えるように構成される除外モード切替モジュールと、
前記除外モードにおいて、前記照明回路をオンに保持するように制御するように構成される除外モード制御モジュールと、を含むことを特徴とする、照明回路の制御器。
【請求項７】
前記通常モード制御モジュールは、
前記通常モードにおいて、現在の環境音量を定期的に検出するように構成される音量検出ユニットと、
前記現在の環境音量が予め設定された音量閾値よりも低い値から前記音量閾値よりも高い値まで上昇することを検出した場合、前記照明回路をオンに保持するように制御するように構成される音声制御オンモジュールと、
前記現在の環境音量が前記音量閾値よりも高い値から前記音量閾値よりも低い値まで低下することを検出した場合、第２のプリセット時間経過後に前記照明回路をオフに保持するように制御するように構成される音声制御オフモジュールと、を含むことを特徴とする、請求項６に記載の照明回路の制御器。
【請求項８】
前記タイミングモードに切り替えた後、予め設定された第３のプリセット時間内にユーザが予め設定された範囲にある時間パラメータを入力したか否かを判断するように構成される時間入力モジュールと、
ユーザが前記第３のプリセット時間内に予め設定された範囲にある時間パラメータを入力した場合、前記時間パラメータを前記第１のプリセット時間とするように構成される時間設定モジュールと、
ユーザが前記第３のプリセット時間内に予め設定された範囲にある時間パラメータを入力しない場合、予め設定されたデフォルト時間パラメータを前記第１のプリセット時間とするように構成されるデフォルト設定モジュールとをさらに含むことを特徴とする、請求項６又は７に記載の照明回路の制御器。
【請求項９】
前記除外モード判断モジュールは、
ユーザの除外モード切替信号を検出した場合、ユーザが予め設定された第４のプリセット時間内に正しいパスワードを入力したか否かを判断するように構成されるパスワード入力ユニットと、
ユーザが前記第４のプリセット時間内に正しいパスワードを入力した場合、ユーザが操作権限を有すると判定するように構成される第１の権限判定ユニットと、
ユーザが前記第４のプリセット時間内に正しいパスワードを入力しない場合、ユーザが操作権限を有しないと判定するように構成される第２の権限判定ユニットとを含むことを特徴とする、請求項６又は７に記載の照明回路の制御器。
【請求項１０】
前記制御器の電源をオンした後、通常モードに直接移行して動作するように構成されるデフォルト動作モジュールをさらに含むことを特徴とする、請求項６又は７に記載の照明回路の制御器。
【発明の詳細な説明】
【技術分野】
【０００１】
本発明は、照明装置の分野に関し、特に、照明回路の制御方法及び制御器に関する。
【背景技術】
【０００２】
製造ラインでは、製造を補助するために大量の照明装置を使用する必要があるが、実際の製造中に、様々な理由（機器故障、部品不足、品質不良など）で製造ラインが停止することがあり、この期間に、照明装置が運転し続ければ、必然的にエネルギーの無駄を引き起こす。しかしながら、製造ライン停止の頻繁性及び不確定性によって、人力による制御照明回路のオン／オフ制御が現実的ではない。
【０００３】
市販の照明装置の制御システムは、一般的に、音声をセンサ信号とし、環境音量が一定の条件を満たすときに照明回路をオンにすることにより、製造ラインの動作状態に応じて照明回路のオン／オフの自動制御を実現する。
【０００４】
しかしながら、このような制御システムでは、製造ラインの停止と同時に照明装置の動作も停止すると、例えば、製造ラインの品質検査、改造、点検のような照明装置による補助を必要とする動作を行うことができず、すなわち、単一の制御方法により実際の使用要求を満たすことができないという問題点があった。
【発明の概要】
【発明が解決しようとする課題】
【０００５】
本発明の目的は、従来の照明回路の制御器が単一の制御方法により実際の使用要求を満たすことができないという問題を解消できる照明回路の制御方法及び制御器を提供することにある。
【課題を解決するための手段】
【０００６】
本発明の一態様において、照明回路の制御方法であって、
制御器により実行し、
ユーザの通常モード切替信号を検出した場合、現在の動作モードから通常モードに切り替えることと、
前記通常モードにおいて、環境音量を検出してかつ前記環境音量に応じて照明回路のオン／オフを制御することと、
ユーザのタイミングモード切替信号を検出した場合、現在の動作モードからタイミングモードに切り替えることと、
前記タイミングモードにおいて、前記照明回路を第１のプリセット時間内にオンに保持し、かつ前記第１のプリセット時間経過後にタイミングモードから前記通常モードに切り替えるように制御することと、
ユーザの除外モード切替信号を検出した場合、ユーザが操作権限を有するか否かを判断することと、
ユーザが操作権限を有すると判定した場合、現在の動作モードから除外モードに切り替えることと、
前記除外モードにおいて、前記照明回路をオンに保持するように制御することと、を含む照明回路の制御方法を提供する。
【０００７】
より好ましくは、前記通常モードにおいて、環境音量を検出してかつ前記環境音量に応じて照明回路のオン／オフを制御することは、
前記通常モードにおいて、現在の環境音量を定期的に検出することと、
前記現在の環境音量が予め設定された音量閾値よりも低い値から前記音量閾値よりも高い値まで上昇することを検出した場合、前記照明回路をオンに保持するように制御することと、
前記現在の環境音量が前記音量閾値よりも高い値から前記音量閾値よりも低い値まで低下することを検出した場合、第２のプリセット時間経過後に前記照明回路をオフに保持するように制御することとを含む。
【０００８】
前記制御方法の一実施形態において、前記方法は、
前記タイミングモードに切り替えた後、ユーザが予め設定された第３のプリセット時間内に予め設定された範囲にある時間パラメータを入力したか否かを判断することと、
ユーザが前記第３のプリセット時間内に予め設定された範囲にある時間パラメータを入力した場合、前記時間パラメータを前記第１のプリセット時間とすることと、
ユーザが前記第３のプリセット時間内に予め設定された範囲にある時間パラメータを入力しない場合、予め設定されたデフォルト時間パラメータを前記第１のプリセット時間とすることとをさらに含む。
【０００９】
前記制御方法の一実施形態において、ユーザの除外モード切替信号を検出した場合、ユーザが操作権限を有するか否かを判断することは、
ユーザの除外モード切替信号を検出した場合、ユーザが予め設定された第４のプリセット時間内に正しいパスワードを入力したか否かを判断することと、
ユーザが前記第４のプリセット時間内に正しいパスワードを入力した場合、ユーザが操作権限を有すると判定することと、
ユーザが前記第４のプリセット時間内に正しいパスワードを入力しない場合、ユーザが操作権限を有しないと判定することとを含む。
【００１０】
前記制御方法の一実施形態において、前記方法は、前記制御器の電源をオンした後、通常モードに直接移行して動作することをさらに含む。
【００１１】
本発明の別の態様において、照明回路の制御器であって、
ユーザの通常モード切替信号を検出した場合、現在の動作モードから通常モードに切り替えるように構成される通常モード切替モジュールと、
前記通常モードにおいて、環境音量を検出してかつ前記環境音量に応じて照明回路のオン／オフを制御するように構成される通常モード制御モジュールと、
ユーザのタイミングモード切替信号を検出した場合、現在の動作モードからタイミングモードに切り替えるように構成されるタイミングモード切替モジュールと、
前記タイミングモードにおいて、前記照明回路を第１のプリセット時間内にオンに保持し、かつ前記第１のプリセット時間経過後にタイミングモードから前記通常モードに切り替えるように構成されるタイミングモード制御モジュールと、
ユーザの除外モード切替信号を検出した場合、ユーザが操作権限を有するか否かを判断するように構成される除外モード判断モジュールと、
ユーザが操作権限を有すると判定した場合、現在の動作モードから除外モードに切り替えるように構成される除外モード切替モジュールと、
前記除外モードにおいて、前記照明回路をオンに保持するように制御するように構成される除外モード制御モジュールと、を含む前記制御器を提供する。
【００１２】
より好ましくは、前記通常モード制御モジュールは、
前記通常モードにおいて、現在の環境音量を定期的に検出するように構成される音量検出ユニットと、
前記現在の環境音量が予め設定された音量閾値よりも低い値から前記音量閾値よりも高い値まで上昇することを検出した場合、前記照明回路をオンに保持するように制御するように構成される音声制御オンモジュールと、
前記現在の環境音量が前記音量閾値よりも高い値から前記音量閾値よりも低い値まで低下することを検出した場合、第２のプリセット時間経過後に前記照明回路をオフに保持するように制御するように構成される音声制御オフモジュールと、を含む。
【００１３】
前記制御システムの一実施形態において、前記制御器は、
前記タイミングモードに切り替えた後、予め設定された第３のプリセット時間内にユーザが予め設定された範囲にある時間パラメータを入力したか否かを判断するように構成される時間入力モジュールと、
ユーザが前記第３のプリセット時間内に予め設定された範囲にある時間パラメータを入力した場合、前記時間パラメータを前記第１のプリセット時間とするように構成される時間設定モジュールと、
ユーザが前記第３のプリセット時間内に予め設定された範囲にある時間パラメータを入力しない場合、予め設定されたデフォルト時間パラメータを前記第１のプリセット時間とするように構成されるデフォルト設定モジュールとをさらに含む。
【００１４】
前記制御システムの一実施形態において、前記除外モード判断モジュールは、
ユーザの除外モード切替信号を検出した場合、ユーザが予め設定された第４のプリセット時間内に正しいパスワードを入力したか否かを判断するように構成されるパスワード入力ユニットと、
ユーザが前記第４のプリセット時間内に正しいパスワードを入力した場合、ユーザが操作権限を有すると判定するように構成される第１の権限判定ユニットと、
ユーザが前記第４のプリセット時間内に正しいパスワードを入力しない場合、ユーザが操作権限を有しないと判定するように構成される第２の権限判定ユニットとを含む。
【００１５】
前記制御システムの一実施形態において、前記制御器は、前記制御器の電源をオンした後、通常モードに直接移行して動作するように構成されるデフォルト動作モジュールをさらに含む。
【発明の効果】
【００１６】
従来技術と比べて、本発明は下記のような優れた有益な効果を有する。すなわち、本発明は、照明回路の制御方法及び制御器を提供する。ここで、上記制御方法は、ユーザの通常モード切替信号を検出した場合、現在の動作モードから通常モードに切り替えることと、上記通常モードにおいて、環境音量を検出してかつ上記環境音量に応じて照明回路のオン／オフを制御することと、ユーザのタイミングモード切替信号を検出した場合、現在の動作モードからタイミングモードに切り替えることと、上記タイミングモードにおいて、上記照明回路を第１のプリセット時間内にオンに保持し、かつ上記第１のプリセット時間経過後にタイミングモードから上記通常モードに切り替えるように制御することと、ユーザの除外モード切替信号を検出した場合、ユーザが操作権限を有するか否かを判断することと、ユーザが操作権限を有すると判定した場合、現在の動作モードから除外モードに切り替えることと、上記除外モードにおいて、上記照明回路をオンに保持するように制御することと、を含む。本発明に係る照明回路の制御方法及び制御器によれば、通常モード、タイミングモード、及び除外モードのそれぞれにおいて照明回路の動作を制御可能であり、ユーザのニーズに応じて切り替えることができる。ここで、上記通常モードにおいて環境音量に応じて照明回路のオン／オフを制御することにより、エネルギーの無駄を防止する。上記タイミングモードにおいて上記照明回路を第１のプリセット時間内にオンに保持するように制御することにより、ユーザの照明時間を制御するための操作を便利にする。例えば、装置の点検のような短時間の照明を必要とする場合、操作者が操作時間を予め判断することにより照明回路の正確的なタイミングを行い、エネルギーの無駄を防止することができる。上記除外モードにおいて上記照明回路をオンに保持するように制御することにより、ユーザの長時間の照明を必要とする操作を便利にする。ユーザが操作権限を有すると判定した場合、現在の動作モードから除外モードに切り替え、すなわち、権限を有する人のみが現在の動作モードを除外モードに切り替えることができるため、誤操作などに起因するエネルギーの無駄を防止する。本実施形態に係る照明回路の制御方法は、照明回路の実際の使用要求を考慮して、照明時間への様々な要求を有する作業環境、例えば、製造ラインに適用可能であり、エネルギーの無駄を防止するとともに、製造ラインの動作停止時に照明装置による補助を必要とする動作を行うことができないという問題を解決するため、マンマシンインタラクション機能が強く、インテリジェントレベルが高く、柔軟性が良い特徴を有する。
【図面の簡単な説明】
【００１７】
【図１】図１は、本発明に係る照明回路の制御方法の第１の実施形態のフローチャートである。
【図２】図２は、本発明に係る照明回路の制御器の第１の実施形態の構造概略図である。
【発明を実施するための形態】
【００１８】
以下、本発明の実施形態に係る図面を参照しながら、本発明の実施形態に係る技術的構成を明確かつ完全に説明する。下記の説明に係る実施形態は、本発明のいくつかの実施形態に過ぎず、全ての実施形態ではないことが明らかである。当業者にとって、創造的な努力なしに本発明の実施形態によって得られた全ての他の実施形態は、本発明の保護範囲に属するものである。
【００１９】
図１は、本発明に係る照明回路の制御方法の第１の実施形態のフローチャートである。図１を参照すると、上記制御方法は、
ユーザの通常モード切替信号を検出した場合、現在の動作モードから通常モードに切り替えるステップＳ１０１と、
上記通常モードにおいて、環境音量を検出してかつ上記環境音量に応じて照明回路のオン／オフを制御するステップＳ１０２と、
ユーザのタイミングモード切替信号を検出した場合、現在の動作モードからタイミングモードに切り替えるステップＳ１０３と、
上記タイミングモードにおいて、上記照明回路を第１のプリセット時間内にオンに保持し、かつ上記第１のプリセット時間経過後にタイミングモードから上記通常モードに切り替えるように制御するステップＳ１０４と、
ユーザの除外モード切替信号を検出した場合、ユーザが操作権限を有するか否かを判断するステップＳ１０５と、
ユーザが操作権限を有すると判定した場合、現在の動作モードから除外モードに切り替えるステップＳ１０６と、
上記除外モードにおいて、上記照明回路をオンに保持するように制御するステップＳ１０７と、を含む
【００２０】
一実施形態において、上記照明回路のオン／オフ制御は、ソリッドステートリレーによって実現する。照明回路が上記ソリッドステートリレーを介して照明電源に接続され、上記ソリッドステートリレーにオン／オフ制御信号を送信することにより、上記照明回路のオン／オフを制御することができる。なお、ソリッドステートリレーによる照明回路のオン／オフ制御は、本発明の１つの実施形態に過ぎず、本発明はこの実施形態に限定されない。
【００２１】
一実施形態において、上記制御器として、シングルチップマイクロコンピュータを使用する。上記通常モード切替信号は、上記制御器のインタラプトポートに接続された第１のキーによって入力され、上記タイミングモード切替信号は、上記制御器のインタラプトポートに接続された第２のキーによって入力され、上記除外モード切替信号は、上記制御器のインタラプトポートに接続された第３のキーによって入力される。なお、上記制御器としてシングルチップマイクロコンピュータを使用することは、本発明の１つの実施形態に過ぎず、本発明はこの実施形態に限定されない。
【００２２】
なお、上記現在の動作モードとは、通常モード、タイミングモード及び除外モードのうちの１つの動作モードを指し、制御器の現時点で動作するモードを表すためのものに過ぎず、上記した３つの動作モードと区別される他の動作モードではないことは、当業者にとって理解されるべきである。例えば、制御器が現時点で通常モードで動作すると、上記現在の動作モードが通常モードであり、タイミングモードに切り替えると、上記現在の動作モードがタイミングモードであり、除外モードに切り替えると、上記現在の動作モードが除外モードである。
【００２３】
また、ユーザが操作権限を有しないと判定した場合、現在の動作モードを切り替えず、すなわち、元の動作モードを維持して動作し続ける。
【００２４】
本実施形態において、上記第１のプリセット時間は、ユーザによって予め設定されるか、又は製造者によって予め設定される。本実施形態において、ユーザが正しいパスワードを入力したか否かを判断するにより、上記ユーザが操作権限を有するか否かを判断するが、他の実施形態において、顔認識、バーコード読み取り、ＱＲコード読み取りなどの個人識別方法による識別結果が識別成功であるか否かを判断することにより、上記ユーザが操作権限を有するか否かを判断する。
【００２５】
すなわち、本発明に係る照明回路の制御方法は、通常モード、タイミングモード、及び除外モードのそれぞれにおいて照明回路の動作を制御し、かつユーザのニーズに応じて切り替えることができる。ここで、上記通常モードにおいて環境音量に応じて照明回路のオン／オフを制御することにより、エネルギーの無駄を防止することができる。上記タイミングモードにおいて上記照明回路を第１のプリセット時間内にオンに保持するように制御することにより、ユーザの照明時間を制御するための操作を便利にする。例えば、機器点検のような短時間の照明を必要とする場合、操作者が操作時間を予め判断することにより照明回路の正確的なタイミングを行い、エネルギーの無駄を防止することができる。上記除外モードにおいて上記照明回路をオンに保持するように制御することにより、ユーザの長時間の照明を必要とする操作を便利にする。ユーザが操作権限を有すると判定した場合、現在の動作モードから除外モードに切り替え、すなわち、権限を有する人のみが現在の動作モードを除外モードに切り替えることができるため、誤操作などに起因するエネルギーの無駄を防止する。本実施形態に係る照明回路の制御方法は、照明回路の実際の使用要求を考慮して、照明時間への様々な要求を有する作業環境、例えば、製造ラインに適用可能であり、エネルギーの無駄を防止するとともに、製造ラインの動作停止時に照明装置による補助を必要とする動作を行うことができないという問題を解決するため、マンマシンインタラクション機能が強く、インテリジェントレベルが高く、柔軟性が良い特徴を有する。
【００２６】
より好ましくは、上記方法は、
上記現在の動作モードが通常モードである場合、第１の信号灯を点灯状態に制御するが、上記現在の動作モードが通常モードではない場合、上記第１の信号灯を消灯状態に制御することと、
上記現在の動作モードがタイミングモードである場合、第２の信号灯を点灯状態に制御するが、上記現在の動作モードがタイミングモードではない場合、上記第２の信号灯を消灯状態に制御することと、
上記現在の動作モードが除外モードである場合、第３の信号灯を点灯状態に制御するが、上記第３の信号灯が除外モードではない場合、上記第３の信号灯を消灯状態に制御することとをさらに含む。
【００２７】
すなわち、異なる信号灯の点滅状態により現在の動作モードを指示することにより、ユーザが現在の動作モードを迅速かつ便利に区別することができる。
【００２８】
より好ましくは、上記通常モードにおいて、環境音量を検出してかつ上記環境音量に応じて照明回路のオン／オフを制御することは、
上記通常モードにおいて、現在の環境音量を定期的に検出することと、
上記現在の環境音量が予め設定された音量閾値よりも低い値から上記音量閾値よりも高い値まで上昇することを検出した場合、上記照明回路をオンに保持するように制御することと、
上記現在の環境音量が上記音量閾値よりも高い値から上記音量閾値よりも低い値まで低下することを検出した場合、第２のプリセット時間経過後に上記照明回路をオフに保持するように制御することとを含む。
【００２９】
本実施形態において、上記第２のプリセット時間は、ユーザによって予め設定されるか、又は製造者によって予め設定され、例えば、工場出荷時に１分間に予め設定される。すなわち、上記照明回路をオフに保持するように制御する前に上記第２のプリセット時間の照明時間を予約することにより、ユーザが上記第２のプリセット時間内に、現在の環境音量を上記音量閾値よりも高い値から当該音量閾値よりも低い値まで低下させた後で実行すべき最後の動作を行うのに便利である。
【００３０】
すなわち、上記現在の環境音量が予め設定された音量閾値よりも低い値から前記音量閾値よりも高い値まで上昇することと、現在の環境音量が前記音量閾値よりも高い値から前記音量閾値よりも低い値まで低下することとを検出する条件により、上記照明回路のオン／オフを制御する。他の実施形態と比べて、例えば、上記現在の環境音量が上記音量閾値よりも高い又は低いことを検出するとすぐに上記照明回路を制御する方法と比べて、制御指令のオーバーヘッドを低減する。
【００３１】
より好ましくは、上記方法は、上記照明回路のオン残り時間を取得し、かつ表示画面で上記オン残り時間を表示することをさらに含む。
【００３２】
本実施形態において、オン残り時間とは、第１のプリセット時間内に上記照明回路の残りのオン時間、又は第２のプリセット時間内に上記照明回路の残りのオン時間を指す。すなわち、ディスプレイで上記オン残り時間を表示することにより、ユーザが照明時間を迅速に把握し、照明時間の調整などの他の操作を行うのに便利である。
【００３３】
本発明は、照明回路の制御方法の第２の実施形態をさらに提供する。上記制御方法は、上記照明回路の制御方法の第１の実施形態におけるステップＳ１０１〜Ｓ１０７を含むことに加えて、
上記タイミングモードに切り替えた後、ユーザが予め設定された第３のプリセット時間内に予め設定された範囲にある時間パラメータを入力したか否かを判断することと、
ユーザが上記第３のプリセット時間内に予め設定された範囲にある時間パラメータを入力した場合、上記時間パラメータを上記第１のプリセット時間とすることと、
ユーザが上記第３のプリセット時間内に予め設定された範囲にある時間パラメータを入力しない場合、予め設定されたデフォルト時間パラメータを上記第１のプリセット時間とすることとをさらに含むように限定される。
【００３４】
一実施形態において、上記時間パラメータは、上記制御器の８ビットＩ／Ｏポートに接続された４×４マトリックスキーボードを介して入力され、循環キャニングにより異なるキーで入力された数値を識別することができる。なお、上記時間パラメータの上記入力方法は、本発明の１つの実施形態に過ぎず、本発明はこの実施形態に限定されない。
【００３５】
本実施形態において、上記第３のプリセット時間は、ユーザによって予め設定されるか、又は製造者によって予め設定され、例えば、工場出荷時に３０秒に予め設定される。上記予め設定された範囲は、ユーザによって予め設定されるか、又は製造者によって予め設定される。上記時間パラメータは、具体的に時間の長さ又は時刻である。例えば、上記時間パラメータが時間の長さであり、予め設定された範囲が２０分間であると、上記時間パラメータは２０分間を超えない。別の例として、上記時間パラメータが時刻であり、予め設定された範囲が２０分間であると、上記時間パラメータと上記制御器により上記時間パラメータを取得するときの時刻との間隔は２０分間を超えない。予め設定されたデフォルト時間パラメータは、ユーザによって予め設定されるか、又は製造者によって予め設定される。上記デフォルト時間パラメータは、具体的に時間の長さ又は時刻であり、例えば、５分間に予め設定される。別の例として、上記デフォルト時間パラメータは、上記制御器がタイミングモードに切り替えられるときの時刻から５分間経過後の時刻に予め設定される。
【００３６】
すなわち、ユーザによって入力された予め設定された範囲にある時間パラメータを取得することにより、異なる照明時間への要求を満たす。予め設定されたデフォルト時間パラメータにより、タイミングモードに切り替えた後にユーザが時間パラメータを入力する操作を簡単にし、利便性を向上させるため、緊急照明などの緊急事態に適用することができる。
【００３７】
本発明は、照明回路の制御方法の第３の実施形態をさらに提供する。上記制御方法は、上記照明回路の制御方法の第１の実施形態におけるステップＳ１０１〜Ｓ１０７を含むことに加えて、ユーザの除外モード切替信号を検出した場合、ユーザが操作権限を有するか否かを判断することは、
ユーザの除外モード切替信号を検出した場合、ユーザが予め設定された第４のプリセット時間内に正しいパスワードを入力したか否かを判断することと、
ユーザが上記第４のプリセット時間内に正しいパスワードを入力した場合、ユーザが操作権限を有すると判定することと、
ユーザが上記第４のプリセット時間内に正しいパスワードを入力しない場合、ユーザが操作権限を有しないと判定することとを含むように限定される。
【００３８】
本実施形態において、上記第４のプリセット時間は、ユーザによって予め設定されるか、又は製造者によって予め設定され、例えば、工場出荷時に３０秒に予め設定される。
【００３９】
一実施形態において、上記パスワードは、上記制御器の８ビットＩ／Ｏポートに接続された４×４マトリックスキーボードを介して入力され、循環キャニングにより異なるキーで入力された数値を識別することができる。なお、上記パスワードの上記入力方法は、本発明の１つの実施形態に過ぎず、本発明はこの実施形態に限定されない。
【００４０】
すなわち、ユーザが予め設定された第４のプリセット時間内に正しいパスワードを入力したか否かを判断することにより、ユーザが操作権限を有するか否かを判断するため、他の個人識別方法と比べて、制御器に異なるユーザＩＤを入力するための煩雑な操作を省き、制御器の実現困難性及びコストを低減する。
【００４１】
本発明は、照明回路の制御方法の第４の実施形態をさらに提供する。上記制御方法は、上記照明回路の制御方法の第１の実施形態におけるステップＳ１０１〜Ｓ１０７を含むことに加えて、上記制御器の電源をオンした後、通常モードに直接移行して動作することをさらに含むように限定される。
【００４２】
すなわち、上記制御器の電源をオンした後、現在の動作モードのために通常モードをデフォルトモードとして指定することにより、通常モードを常用モードとする場合の適用を便利にし、ユーザの操作利便性を向上させる。
【００４３】
なお、図１に示すフローチャートは、本発明の一実施形態のプロセスステップを表すものに過ぎず、本発明のプロセスステップは、Ｓ１０１〜Ｓ１０７の順番で行うことに厳格に限定されない。例えば、Ｓ１０１、Ｓ１０３及びＳ１０５は、並列に実行することができる。
【００４４】
本発明は、照明回路の制御器の第１の実施形態をさらに提供する。図２は本発明に係る照明回路の制御器の第１の実施形態の構造概略図である。図２を参照すると、上記制御器は、
ユーザの通常モード切替信号を検出した場合、現在の動作モードから通常モードに切り替えるように構成される通常モード切替モジュール２０１と、
上記通常モードにおいて、環境音量を検出してかつ上記環境音量に応じて照明回路のオン／オフを制御するように構成される通常モード制御モジュール２０２と、
ユーザのタイミングモード切替信号を検出した場合、現在の動作モードからタイミングモードに切り替えるように構成されるタイミングモード切替モジュール２０３と、
上記タイミングモードにおいて、上記照明回路を第１のプリセット時間内にオンに保持し、かつ上記第１のプリセット時間経過後にタイミングモードから上記通常モードに切り替えるように構成されるタイミングモード制御モジュール２０４と、
ユーザの除外モード切替信号を検出した場合、ユーザが操作権限を有するか否かを判断するように構成される除外モード判断モジュール２０５と、
ユーザが操作権限を有すると判定した場合、現在の動作モードから除外モードに切り替えるように構成される除外モード切替モジュール２０６と、
上記除外モードにおいて、上記照明回路をオンに保持するように制御するように構成される除外モード制御モジュール２０７とを含む。
【００４５】
一実施形態において、上記照明回路のオン／オフ制御は、ソリッドステートリレーによって実現する。照明回路が上記ソリッドステートリレーを介して照明電源に接続され、上記ソリッドステートリレーにオン／オフ制御信号を送信することにより、上記照明回路のオン／オフを制御することができる。なお、ソリッドステートリレーによる照明回路のオン／オフ制御は、本発明の１つの実施形態に過ぎず、本発明はこの実施形態に限定されない。
【００４６】
一実施形態において、上記制御器として、シングルチップマイクロコンピュータを使用する。上記通常モード切替信号は、上記制御器のインタラプトポートに接続された第１のキーによって入力され、上記タイミングモード切替信号は、上記制御器のインタラプトポートに接続された第２のキーによって入力され、上記除外モード切替信号は、上記制御器のインタラプトポートに接続された第３のキーによって入力される。なお、上記制御器としてシングルチップマイクロコンピュータを使用することは、本発明の１つの実施形態に過ぎず、本発明はこの実施形態に限定されない。
【００４７】
なお、上記現在の動作モードとは、通常モード、タイミングモード及び除外モードのうちの１つの動作モードを指し、制御器の現時点で動作するモードを表すためのものに過ぎず、上記した３つの動作モードと区別される他の動作モードではないことは、当業者にとって理解されるべきである。例えば、制御器が現時点で通常モードで動作すると、上記現在の動作モードが通常モードであり、タイミングモードに切り替えると、上記現在の動作モードがタイミングモードであり、除外モードに切り替えると、上記現在の動作モードが除外モードである。
【００４８】
また、ユーザが操作権限を有しないと判定した場合、現在の動作モードを切り替えず、すなわち、元の動作モードを維持して動作し続ける。
【００４９】
本実施形態において、上記第１のプリセット時間は、ユーザによって予め設定されるか、又は製造者によって予め設定される。本実施形態において、ユーザが正しいパスワードを入力したか否かを判断するにより、上記ユーザが操作権限を有するか否かを判断するが、他の実施形態において、顔認識、バーコード読み取り、ＱＲコード読み取りなどの個人識別方法による識別結果が識別成功であるか否かを判断することにより、上記ユーザが操作権限を有するか否かを判断する。
【００５０】
すなわち、本発明に係る照明回路の制御器は、通常モード、タイミングモード、及び除外モードのそれぞれにおいて照明回路の動作を制御し、かつユーザのニーズに応じて切り替えることができる。ここで、上記通常モードにおいて環境音量に応じて照明回路のオン／オフを制御することにより、エネルギーの無駄を防止することができる。上記タイミングモードにおいて上記照明回路を第１のプリセット時間内にオンに保持するように制御することにより、ユーザの照明時間を制御するための操作を便利にする。例えば、機器点検のような短時間の照明を必要とする場合、操作者が操作時間を予め判断することにより照明回路の正確的なタイミングを行い、エネルギーの無駄を防止することができる。上記除外モードにおいて上記照明回路をオンに保持するように制御することにより、ユーザの長時間の照明を必要とする操作を便利にする。ユーザが操作権限を有すると判定した場合、現在の動作モードから除外モードに切り替え、すなわち、権限を有する人のみが現在の動作モードを除外モードに切り替えることができるため、誤操作などに起因するエネルギーの無駄を防止する。本実施形態に係る照明回路の制御方法は、照明回路の実際の使用要求を考慮して、照明時間への様々な要求を有する作業環境、例えば、製造ラインに適用可能であり、エネルギーの無駄を防止するとともに、製造ラインの動作停止時に照明装置による補助を必要とする動作を行うことができないという問題を解決するため、マンマシンインタラクション機能が強く、インテリジェントレベルが高く、柔軟性が良い特徴を有する。
【００５１】
より好ましくは、上記制御器は、
上記現在の動作モードが通常モードである場合、第１の信号灯を点灯状態に制御するが、上記現在の動作モードが通常モードではない場合、上記第１の信号灯を消灯状態に制御し、
上記現在の動作モードがタイミングモードである場合、第２の信号灯を点灯状態に制御するが、上記現在の動作モードがタイミングモードではない場合、上記第２の信号灯を消灯状態に制御し、
上記現在の動作モードが除外モードである場合、第３の信号灯を点灯状態に制御するが、上記第３の信号灯が除外モードではない場合、上記第３の信号灯を消灯状態に制御するように構成される信号指示モジュールを含む。
【００５２】
すなわち、異なる信号灯の点滅状態により現在の動作モードを指示することにより、ユーザが現在の動作モードを迅速かつ便利に区別することができる。
【００５３】
より好ましくは、上記通常モード制御モジュールは、
上記通常モードにおいて、現在の環境音量を定期的に検出するように構成される音量検出ユニットと、
上記現在の環境音量が予め設定された音量閾値よりも低い値から上記音量閾値よりも高い値まで上昇することを検出した場合、上記照明回路をオンに保持するように制御するように構成される音声制御オンモジュールと、
上記現在の環境音量が上記音量閾値よりも高い値から上記音量閾値よりも低い値まで低下することを検出した場合、第２のプリセット時間経過後に上記照明回路をオフに保持するように制御するように構成される音声制御オフモジュールとを含む。
【００５４】
本実施形態において、上記第２のプリセット時間は、ユーザによって予め設定されるか、又は製造者によって予め設定され、例えば、工場出荷時に１分間に予め設定される。すなわち、上記照明回路をオフに保持するように制御する前に上記第２のプリセット時間の照明時間を予約することにより、ユーザが上記第２のプリセット時間内に、現在の環境音量を上記音量閾値よりも高い値から当該音量閾値よりも低い値まで低下させた後で実行すべき最後の動作を行うのに便利である。
【００５５】
すなわち、上記現在の環境音量が予め設定された音量閾値よりも低い値から前記音量閾値よりも高い値まで上昇することと、現在の環境音量が前記音量閾値よりも高い値から前記音量閾値よりも低い値まで低下することとを検出する条件により、上記照明回路のオン／オフを制御する。他の実施形態と比べて、例えば、上記現在の環境音量が上記音量閾値よりも高い又は低いことを検出するとすぐに上記照明回路を制御する方法と比べて、制御指令のオーバーヘッドを低減する。
【００５６】
より好ましくは、上記制御器は、上記照明回路のオン残り時間を取得し、かつ表示画面で上記オン残り時間を表示するように構成される表示モジュール。
【００５７】
本実施形態において、オン残り時間とは、第１のプリセット時間内に上記照明回路の残りのオン時間、又は第２のプリセット時間内に上記照明回路の残りのオン時間を指す。すなわち、ディスプレイで上記オン残り時間を表示することにより、ユーザが照明時間を迅速に把握し、照明時間の調整などの他の操作を行うのに便利である。
【００５８】
本発明は、照明回路の制御器の第２の実施形態をさらに提供する。上記照明回路の制御器は、上記照明回路の制御器の第１の実施形態における通常モード切替モジュール２０１、通常モード制御モジュール２０２、タイミングモード切替モジュール２０３、タイミングモード制御モジュール２０４、除外モード判断モジュール２０５、除外モード切替モジュール２０６、及び除外モード制御モジュール２０７を含むことに加えて、
上記タイミングモードに切り替えた後、ユーザが予め設定された第３のプリセット時間内に予め設定された範囲にある時間パラメータを入力したか否かを判断するように構成される時間入力モジュールと、
ユーザが上記第３のプリセット時間内に予め設定された範囲にある時間パラメータを入力した場合、上記時間パラメータを上記第１のプリセット時間とするように構成される時間設定モジュールと、
ユーザが上記第３のプリセット時間内に予め設定された範囲にある時間パラメータを入力しない場合、予め設定されたデフォルト時間パラメータを上記第１のプリセット時間とするように構成されるデフォルト設定モジュールとをさらに含むように限定される。
【００５９】
一実施形態において、上記時間パラメータは、上記制御器の８ビットＩ／Ｏポートに接続された４×４マトリックスキーボードを介して入力され、循環キャニングにより異なるキーで入力された数値を識別することができる。なお、上記時間パラメータの上記入力方法は、本発明の１つの実施形態に過ぎず、本発明はこの実施形態に限定されない。
【００６０】
本実施形態において、上記第３のプリセット時間は、ユーザによって予め設定されるか、又は製造者によって予め設定され、例えば、工場出荷時に３０秒に予め設定される。上記予め設定された範囲は、ユーザによって予め設定されるか、又は製造者によって予め設定される。上記時間パラメータは、具体的に時間の長さ又は時刻である。例えば、上記時間パラメータが時間の長さであり、予め設定された範囲が２０分間であると、上記時間パラメータは２０分間を超えない。別の例として、上記時間パラメータが時刻であり、予め設定された範囲が２０分間であると、上記時間パラメータと上記制御器により上記時間パラメータを取得するときの時刻との間隔は２０分間を超えない。予め設定されたデフォルト時間パラメータは、ユーザによって予め設定されるか、又は製造者によって予め設定される。上記デフォルト時間パラメータは、具体的に時間の長さ又は時刻であり、例えば、５分間に予め設定される。別の例として、上記デフォルト時間パラメータは、上記制御器がタイミングモードに切り替えられるときの時刻から５分間経過後の時刻に予め設定される。
【００６１】
すなわち、ユーザによって入力された予め設定された範囲にある時間パラメータを取得することにより、異なる照明時間への要求を満たす。予め設定されたデフォルト時間パラメータにより、タイミングモードに切り替えた後にユーザが時間パラメータを入力する操作を簡単にし、利便性を向上させるため、緊急照明などの緊急事態に適用することができる。
【００６２】
本発明は、照明回路の制御器の第３の実施形態をさらに提供する。上記照明回路の制御器は、上記照明回路の制御器の第１の実施形態における通常モード切替モジュール２０１、通常モード制御モジュール２０２、タイミングモード切替モジュール２０３、タイミングモード制御モジュール２０４、除外モード判断モジュール２０５、除外モード切替モジュール２０６、及び除外モード制御モジュール２０７を含むことに加えて、上記除外モード判断モジュールは、
ユーザの除外モード切替信号を検出した場合、ユーザが予め設定された第４のプリセット時間内に正しいパスワードを入力したか否かを判断するように構成されるパスワード入力ユニットと、
ユーザが上記第４のプリセット時間内に正しいパスワードを入力した場合、ユーザが操作権限を有すると判定するように構成される第１の権限判定ユニットと、
ユーザが上記第４のプリセット時間内に正しいパスワードを入力しない場合、ユーザが操作権限を有しないと判定するように構成される第２の権限判定ユニットと、を含むように限定される。
【００６３】
本実施形態において、上記第４のプリセット時間は、ユーザによって予め設定されるか、又は製造者によって予め設定され、例えば、工場出荷時に３０秒に予め設定される。
【００６４】
一実施形態において、上記パスワードは、上記制御器の８ビットＩ／Ｏポートに接続された４×４マトリックスキーボードを介して入力され、循環キャニングにより異なるキーで入力された数値を識別することができる。なお、上記パスワードの上記入力方法は、本発明の１つの実施形態に過ぎず、本発明はこの実施形態に限定されない。
【００６５】
すなわち、ユーザが予め設定された第４のプリセット時間内に正しいパスワードを入力したか否かを判断することにより、ユーザが操作権限を有するか否かを判断するため、他の個人識別方法と比べて、制御器に異なるユーザＩＤを入力するための煩雑な操作を省き、制御器の実現困難性及びコストを低減する。
【００６６】
本発明は、照明回路の制御器の第４の実施形態をさらに提供する。上記照明回路の制御器は、上記照明回路の制御器の第１の実施形態における通常モード切替モジュール２０１、通常モード制御モジュール２０２、タイミングモード切替モジュール２０３、タイミングモード制御モジュール２０４、除外モード判断モジュール２０５、除外モード切替モジュール２０６、及び除外モード制御モジュール２０７を含むことに加えて、上記制御器の電源をオンにした後、通常モードに直接移行して動作するように構成されるデフォルト動作モジュールことをさらに含むように限定される。
【００６７】
すなわち、上記制御器の電源をオンにした後、現在の動作モードのために通常モードをデフォルトモードとして指定することにより、通常モードを常用モードとする場合の適用を便利にし、ユーザの操作利便性を向上させる。
【００６８】
本発明に係る照明回路の制御方法及び制御器は、通常モード、タイミングモード、及び除外モードのそれぞれにおいて照明回路の動作を制御し、かつユーザのニーズに応じて切り替えることができる。ここで、上記通常モードにおいて環境音量に応じて照明回路のオン／オフを制御することにより、エネルギーの無駄を防止することができる。上記タイミングモードにおいて上記照明回路を第１のプリセット時間内にオンに保持するように制御することにより、ユーザの照明時間を制御するための操作を便利にする。例えば、機器点検のような短時間の照明を必要とする場合、操作者が操作時間を予め判断することにより照明回路の正確的なタイミングを行い、エネルギーの無駄を防止することができる。上記除外モードにおいて上記照明回路をオンに保持するように制御することにより、ユーザの長時間の照明を必要とする操作を便利にする。上記除外モードにおいて上記照明回路をオンに保持するように制御することにより、ユーザの長時間の照明を必要とする操作を便利にする。本実施形態に係る照明回路の制御方法は、照明回路の実際の使用要求を考慮して、照明時間への様々な要求を有する作業環境、例えば、製造ラインに適用可能であり、エネルギーの無駄を防止するとともに、製造ラインの動作停止時に照明装置による補助を必要とする動作を行うことができないという問題を解決するため、マンマシンインタラクション機能が強く、インテリジェントレベルが高く、柔軟性が良い特徴を有する。
【００６９】
上記実施形態に係る方法におけるプロセスの全部又は一部がコンピュータプログラムを用いて関連するハードウェアに指令することにより実現されてもよく、上記プログラムがコンピュータ可読記憶媒体に記憶可能であり、実行時に上記各方法の実施形態におけるプロセスを含むことは、当業者にとって理解されるべきである。ここで、上記記憶媒体は、磁気ディスク、光ディスク、読み取り専用メモリ（Ｒｅａｄ−Ｏｎｌｙ Ｍｅｍｏｒｙ、ＲＯＭ）、又はランダムアクセスメモリ（Ｒａｎｄｏｍ Ａｃｃｅｓｓ Ｍｅｍｏｒｙ、ＲＡＭ）などであってもよい。
【００７０】
以上、本発明の好ましい実施形態を説明した。本発明の原理から逸脱しない範囲において、当業者が、複数の改良及び修飾をしても、本発明の保護範囲に属するものと理解されるべきである。
【図１】
2019530126.tif 000003
【図２】
2019530126.tif 000004
【国際調査報告】
2019530126.tif 000005
2019530126.tif 000006
2019530126.tif 000007
2019530126.tif 000008